(57)【要約】      （修正有）【課題】児童・生徒や高齢者、障碍者達が部品からの組み立てを楽しむことが可能で、更に、彼ら自身がパズルの外形部に自分で彫刻を施し、その彫刻外形を再現する事を楽しむ３次元パズル及び３次元パズルの彫刻方法を提供する。【解決手段】この３次元パズルは、直径３５〜４５ｍｍの軟磁性コア１０と、コア１０の球面に面接触する凹球面２２が形成された複数の立法体のようなブロック２０とを備えている。ブロックは、比重が０．１以上０．４以下の木材若しくは低発泡合成樹脂によって成形される。凹球面２２の一部には、ボタン状永久磁石４０の直径に比べて−０．０６ｍｍ〜＋０．０５ｍｍの範囲の直径のブロック２０の凹み部を設けられ、凹み部に、ボタン状永久磁石４０が水溶性接着剤で固定されるように構成した。【選択図】図１
2018033836.tif 000002
【特許請求の範囲】
【請求項１】
軟磁性の磁気特性を有する球状のコアと、このコアの表面に面接触する凹球面が形成され、かつ、この凹球面内の一部に凹み部が形成された彫刻可能な複数のブロックと、前記凹み部内に嵌め込まれ、水溶性接着剤で固定される永久磁石とを備え、前記複数のブロックの凹球面が前記コアの表面を覆った状態で、前記コアと永久磁石とが磁気吸着されつつ、前記ブロックが前記コアに面接触しながら変位可能とされていることを特徴とする３次元パズル。
【請求項２】
前記ブロックは、立方体又は直方体に成形されていることを特徴とする請求項１に記載の３次元パズル。
【請求項３】
前記ブロックは、比重が０．１以上０．４以下の木材又は発泡合成樹脂で成形されていることを特徴とする請求項１又は２に記載の３次元パズル。
【請求項４】
前記コアは、直径が３５〜４５ｍｍとされていることを特徴とする請求項１ないし３のいずれか一項に記載の３次元パズル。
【請求項５】
前記永久磁石は、直径が７〜１２ｍｍのボタン状に成形され、前記凹み部は、内径が前記永久磁石に対して−０．０６〜＋０．０５ｍｍとされていることを特徴とする請求項１ないし４のいずれか一項に記載の３次元パズル。
【請求項６】
前記複数のブロック同士が隣り合って面接触する面に付着される粘稠物又は両面粘着剤付きテープを備えていることを特徴とする請求項１ないし５のいずれか一項に記載の３次元パズル。
【請求項７】
請求項６に記載の３次元パズルを彫刻する３次元パズルの彫刻方法であって、
前記複数のブロックの各凹球面が前記コアの表面を覆い、各ブロックが隣り合って面接触する面同士を、粘着性の粘稠物又は両面粘着付きのテープによって一時的に仮固定する工程と、各ブロックの外形を彫刻する工程と、前記粘稠物又はテープをブロックから除去する工程とを含んでいることを特徴とする３次元パズルの彫刻方法。
【発明の詳細な説明】
【技術分野】
【０００１】
本発明は、球状のコアを囲む複数のブロックを備えた３次元パズル、及び、前記ブロックを彫刻することによって３次元パズル全体を一つの彫刻物にするための３次元パズルの彫刻方法に関する。
【背景技術】
【０００２】
種々の３次元パズルが提供されている。例えば、複数の立方体のピースを正面、平面、側面とも正方形状に重ね合わせた立体パズル（商品名「ルービックキューブ」）が特許文献１に記載されている。この特許文献１に記載された３次元パズルは、木質小片の外面に異なる色彩が施され、表面に異なった色が並んだ状態から同じ色に揃えることで楽しむことができる。特許文献１に記載された立体パズルは、独自の形態に造形することが出来ない。
【０００３】
独自の形態に造形することができるようにした立体パズルが特許文献２に記載されている。この特許文献２に記載された３次元パズルは、鉄球のようなコアと、このコアに部分的に面接触する曲面板状の８枚の永久磁石と、この永久磁石を固定する凹曲面を一つのコーナーに設けた変形立方体状の８個の木質小片とを備えている。
【０００４】
永久磁石の中央には、ネジ孔が形成され、小さなネジが永久磁石のネジ孔から木質小片の凹曲面にねじ込まれることで、永久磁石が木質小片に固定される。そして、コアと各永久磁石とが磁気吸着され、各永久磁石を固定した木質小片がコアの外面に沿って変位できるようにされている。したがって、この３次元パズルは、当初において不揃いの各木質小片を変位することで特定のパターンに揃えるというパズルとして楽しむことが出来る。また、この３次元パズルは、各木質小片の表面形状を任意に造形できるようにされている。
【先行技術文献】
【特許文献】
【０００５】
【特許文献１】登録実用新案第３０１９２７３号公報
【特許文献２】特開２０１６−４２８８８号公報
【発明の概要】
【発明が解決しようとする課題】
【０００６】
特許文献２に記載された３次元パズルは、部分的、或いは全体を新たな形状のパズルに変更するに際して永久磁石を回収出来るようにするため、該永久磁石にネジ孔を形成し、このネジ孔に小さなネジをねじ込んでいる。ここで採用される永久磁石はプラスチックマグネットであり、ネジを外すことで容易に木質小片から分離出来る。
【０００７】
しかし、ネジは、小さいため、緩めたり、或いは取り付けたりする作業が面倒である。このような作業は、ＤＩＹ（Do  It  Yourself）や彫刻を好む成人にとっては容易だが、特に児童・生徒や高齢者、或いはハンデキャップ（いわゆる障碍）を持つ人々（障碍者達）にとっては著しくハードルが高い。
【０００８】
そのために、特許文献２に記載された３次元パズルを構成する部品で組み立てる工程、及び分解・分離する工程を、児童・生徒の教育の中で活かし、高齢者・障碍者の創造的趣味やレクレーションに活かすことが難しい。
【０００９】
そこで、本発明は、健常者だけでなく、児童・生徒や高齢者、或いは障碍者達にとって永久磁石をブロックに装着したり取り外したりする、言い換えるとパズルの組み立てと分解が簡単な３次元パズルの彫刻方法を提供することを課題とする。また、本発明は、障碍者を含む人たちが、彫刻を施すという創作する楽しさを体験し、ルービックキューブの様にゲームとして楽しむことが出来る３次元パズル及び３次元パズルの彫刻方法を提供することを併せて課題とする。
【課題を解決するための手段】
【００１０】
本発明に係る３次元パズルは、軟磁性の磁気特性を有する球状のコアと、このコアの表面に面接触する凹球面が形成され、かつ、この凹球面内の一部に凹み部が形成された彫刻可能な複数のブロックと、前記凹み部内に嵌め込まれ、水溶性接着剤で固定される永久磁石とを備え、前記複数のブロックの凹球面が前記コアの表面を覆った状態で、前記コアと永久磁石とが磁気吸着されつつ、前記ブロックが前記コアに面接触しながら変位可能とされていることを特徴としている。
【００１１】
この３次元パズルによれば、複数のブロックが彫刻されることにより、オリジナリティのあるマイパズルを造形することができる。そして各ブロックには、球状のコアに面接触する凹球面が形成されていて、その凹球面内の一部に設けられた凹み部に永久磁石が装着されている。この永久磁石でもって複数のブロックは、コアに磁気吸着されており、面接触した状態で変位可能とされている。
【００１２】
このことにより、本３次元パズルは、各ブロックの位置を変えることが出来て、不揃いの状態から造形された形態に揃えるというパズルとして遊ぶことが出来る。そして、本発明で使用する水溶接着剤は、有害な樹脂や溶媒が無いので、誰もが安心して本発明の３次元パズルを扱い、楽しむことが出来る。
【００１３】
本発明に係る３次元パズルの一態様として、前記ブロックは、立方体又は直方体に成形されていることが好ましい。この３次元パズルによれば、ブロックが立方体又は直方体に形成されることにより、凹球面がコアの表面に面接触したブロックは、隣り合う面同士が平面的に面接触する。
【００１４】
本発明に係る３次元パズルの他態様として、前記ブロックは、比重が０．１以上０．４以下の木材又は低発泡合成樹脂で成形されていることが好ましい。この３次元パズルによれば、ブロックの比重が０．１以上０．４以下の木材又は発泡合成樹脂で成形されていることにより、ブロックが軽量且つ彫刻が容易となり、児童・生徒や高齢者、或いは様々な障碍持つ人々がハンドリング可能な３次元パズルとすることができる。更に、前記比重のブロックには適切な弾力性があるので、装着する凹み部の直径より装着する永久磁石の直径が最大０．０６大きくても、押し込むことが簡単で、また、取り出すことも容易である。
【００１５】
本発明に係る３次元パズルの異なる他態様として、前記コアは、直径が３５〜４５ｍｍとされていることが好ましい。この３次元パズルによれば、球状コアの直径を３５〜４５ｍｍの範囲とする事で、ブロックを含めて児童・生徒や高齢者がハンドリングできる大きさとすることができる。
【００１６】
本発明に係る３次元パズルのさらに異なる他態様として、前記永久磁石は、直径が７〜１２ｍｍのボタン状に成形され、前記凹み部は、ボタン状永久磁石の直径に対して−０．０６〜＋０．０５ｍｍとされていることが好ましい。凹球面の一部に装着される永久磁石の直径は凹球面の広さと、磁気吸着力の強さを考慮して直径が７ｍｍ〜１２ｍｍのボタン状永久磁石とし、永久磁石を装着する凹み部の直径が、装着する永久磁石の直径に比べて０．０６ｍｍ小さい直径から、０．０５ｍｍ大きい直径の範囲とすれば、永久磁石を凹み部に容易に装着し、且つ、水溶性接着剤の採用とあいまって、凹み部から容易に取り外すことができる。
【００１７】
本発明に係る３次元パズルのさらに異なる他態様として、前記複数のブロック同士が隣り合って面接触する面に付着される粘稠物又は両面粘着剤付きテープを備えていることが好ましい。この３次元パズルによれば、粘稠物又は両面粘着剤付きテープによって、複数のブロック同士が面接触する面同士が一時的に仮固定されるため、複数のブロックがコアを覆った状態で、彫刻しやすくすることができる。
【００１８】
本発明に係る３次元パズルの彫刻方法は、前記複数のブロックの各凹球面が前記コアの球表面を覆い、各ブロックが隣り合って面接触する面同士を、粘着性の粘稠物又は両面粘着付きのテープによって一時的に仮固定する工程と、各ブロックの外形を彫刻する工程と、前記粘稠物又はテープをブロックから除去する工程とを含んでいることを特徴としている。
【００１９】
この３次元パズルの彫刻方法によれば、複数のブロックの各凹球面がコアの球表面を覆い、各ブロックが隣り合って面接触する面同士を、粘着性の粘稠物又は両面粘着付きのテープによって一時的に仮固定する工程を含むことにより、各ブロックを一体的に造形しやすくすることができる。そして、前記粘稠物又はテープをブロックから除去する工程を含むことにより、各ブロックが隣り合って面接触しても、各ブロックの位置を変えることが出来て、パズルとして遊ぶことができる。
【００２０】
また、粘着性の粘稠物又は両面粘着付きのテープを貼る位置や面積などを工夫しておくことにより、比較的弱い力であっても長時間連続的にせん断力を加えることで、粘稠物や両面粘着剤付きテープを除去したり剥がしたりすることができる。
【発明の効果】
【００２１】
本発明によれば、永久磁石とブロックとの組立作業が容易で、且つ、容易に分解・分別することができる３次元パズルを提供することが出来る。更に本発明の３次元パズルは、使用者のオリジナリティを発揮できる外形状を使用者自身が彫刻可能とした３次元立体パズル（マイパズル）及び３次元パズルの造形方法を提供することができる。
【００２２】
そして、本発明の大きな特徴である他の効果は、児童・生徒や高齢者、障碍者の人々が本３次元パズルでもって楽しむこと以外に、本３次元パズルの組み立て、彫刻、そして分解・分別を行なう事が出来る事である。
【図面の簡単な説明】
【００２３】
【図１】本発明に係る３次元パズルの一実施形態を示す分解斜視図である。
【図２】本発明に係る３次元パズルを構成しているブロックの凹球面の一部に、ボタン状永久磁石を装着した一実施形態を示す斜視図である。
【図３】本発明に係る３次元パズルを構成しているブロックの凹球面の一部に、ボタン状永久磁石を装着する一実施形態の断面端面図であって、（ａ）は装着前の断面端面図、（ｂ）は装着後の断面端面図である。
【図４】本発明の３次元パズルに装着するボタン状永久磁石の一実施形態を示す斜視図である。
【図５】本発明の３次元パズルに装着するボタン状永久磁石の他実施形態を示す斜視図である。
【図６】本発明の３次元パズルに装着するボタン状永久磁石の異なる他実施形態を示す斜視図である。
【図７】本発明に係る３次元パズルの外形部を彫刻して“林檎”とした実施形態を示す斜視図である。
【発明を実施するための形態】
【００２４】
本発明に係る３次元パズル及び３次元パズルの造形方法の実施形態について図１乃至図７を参照しながら説明する。本３次元パズルは、図１に示すように、軟磁性の磁気特性を有する球状のコア１０と、このコア１０表面に面接触する凹球面２２が形成された複数個（この実施形態では計８個を示したが、この図面の隣り合っている２個同士を一体化した計４個でも可）の彫刻可能なブロック２０と、各ブロック２０の凹球面２２に装着される永久磁石４０，５０，６０とを備えている。
【００２５】
ブロック２０は、図示したような変形立法体若しくは図示しない変形直方体又は任意の多角形若しくは全体として球形となる形態を含む変形体とされる。いずれにしても、ブロック２０の凹球面２２の一部には、図３に示すような凹み部３０が形成され、この凹み部３０に図４乃至図６に示すようなボタン状（円盤状）の永久磁石４０，５０，６０が嵌め込まれる。８個のブロック２０の凹球面２２が内向きにされ、隣り合っているブロック２０の面同士を面接触すると、８つの凹球面２２によって球状空間が形成される。
【００２６】
凹み部３０に嵌め込まれた永久磁石４０，５０，６０の表面は前記コア１０に接触しないが近接している。永久磁石４０，５０，６０は、澱粉糊のような水溶性接着剤によって凹球面２２に装着される。水溶性接着剤は、有害な樹脂や溶媒がないため、安心して使用することができる。
【００２７】
コア１０とブロック２０とは、前記凹球面２２の一部に装着された永久磁石４０，５０，６０で磁気吸着され、前記各ブロック２０の凹球面２２が前記コア１０に面接触しながら変位可能とされている。
【００２８】
そして、コア１０は鉄などの軟磁性の磁気特性を有する軟磁性材料で形成されている。コア１０は、音発生手段（図示せず）を備えていることが好ましい。音発生手段は、図示しないが、例えばコア１０の外形を形成する鉄製の中空球体と、この中空球体内に入れられ、中空球体の内面に一端を溶着した渦巻き状又はバネ状の鉄条と、中空球体内に入れられる小球とによって構成される。コア１０が様々な方向に傾けられ、小球が中空球体内の不規則な運動でもって中空球体の内面や鉄条に当たることで、「リンリン」という鈴のような音が出るようにされている。
【００２９】
コア１０は、直径が例えば３５ｍｍ〜４５ｍｍの大きさとされる。ブロック２０が後記のように彫刻されるため、彫刻後の３次元パズルの大きさは手のひら程度が扱い易いが、その大きさのブロック２０をコア１０に磁気吸着させておく力を確保するためにコア１０の直径は３５ｍｍ必要である。また、コア１０の直径が４５ｍｍを越えると、大きすぎて手に余ってしまう。前記直径範囲のコア１０の重量は、６５ｇｒ〜１１０ｇｒ程度である。
【００３０】
コア１０の直径について、シンワ測定株式会社から販売されているノギス『Ｄｉｇｉｔａｌ  ＣＡＬＩＰＥＲ  ０．０１―１００ｍｍ』で実側すると、例えば公称Φ４０ｍｍのコア１０の直径は、Φ３８．９０〜Φ３９．５８ｍｍ程度である事が判った。Φ４０ｍｍのコア１０を囲む各ブロック２０の凹球面２２は、その曲率半径が２０．０ｍｍとなる様に加工している。それ故コア１０は、８個のブロック２０の凹球面２２で囲われた球状空間へピタリと収納される。
【００３１】
ブロック２０は、その比重が０．１〜０．４の範囲の木材若しくは発泡樹脂で形成される。このような材質のブロック２０は、彫刻刀やナイフなどの刃物類あるいは鋸やヤスリなどによって削るなどの加工が容易ある。
【００３２】
木材の場合はバルサ、桐、杉などが選ばれる。発泡樹脂の場合は発泡ＨＩＰＳ（耐衝撃性ポリスチレン）樹脂などが選ばれる。このような材質のブロック２０は、児童・生徒や高齢者がハンドリングする重量として重すぎることが無く、且つ力が弱くても彫刻が可能なので好都合である。
【００３３】
また、前記比重のブロック２０は、永久磁石４０，５０，６０を装着するための凹み部３０、及び該凹み部３０をその一部に有する凹球面２２を小さな力で加工することが可能と成る。しかし、比重が０．１よりも小さくなればなるほど、加工仕上がり寸法精度が悪くなりバラツキが大きくなる傾向がある。
【００３４】
他方、比重が０．４以下であれば比較的柔らかな弾力性があるので、ボタン状永久磁石４０，５０，６０を装着する際は都合が良い。即ち、装着するボタン状永久磁石４０，５０，６０を、永久磁石４０，５０，６０の直径より最大０．６ｍｍ小さい直径の凹み部３０に対して押し込むことが可能なので、そのまま水溶性接着剤が乾燥・固化するまでの間把持されているのである。ブロック２０から永久磁石４０，５０，６０を分離・分別する場合も、水溶性接着剤を水で除去した後、凹み部３０から容易に取り出すことが可能である。
【００３５】
次に、永久磁石４０，５０，６０について説明する。永久磁石４０，５０，６０は、取り付け・取り外しが簡単であること、そして安価であることを満たすものとして、図４〜図６に示すような嵩が低い円柱状（ボタン）状のものを採用する。ボタン状永久磁石４０，５０，６０は、既存の材料を使い、単純な形状で且つ大量に生産できるため、最も安価である。
【００３６】
具体的には、永久磁石４０，５０，６０としては、各種の永久磁石、焼結磁石やプラスチックマグネットからなるボタン状永久磁石が採用される。プラスチックマグネットは、ハードフェライト粉等を結合剤（バインダー）に分散させて成形した複合材料磁石であり、容易に製造することができる。また、円盤状（ボタン状）の希土類永久磁石は磁気吸着力が強いため、本発明の永久磁石４０，５０，６０としては好適に採用することができる。
【００３７】
図４に示すボタン状永久磁石４０は、代表的なＮｄのボタン状永久磁石４０で、アキシャル方向に着磁されていて（アキシャル１極）、ニッケルメッキで防錆が施されている。
【００３８】
図５に示すボタン状永久磁石５０は、アキシャル配向のマグネットの表面を２分する様にＮ・Ｓの着磁を施すことで実現する（アキシャル２極）。このボタン状永久磁石５０はプラスチックマグネットで、磁場配向射出成型で成型され、再着磁される。コア１０がΦ４０ｍｍの球表面に接するボタン状永久磁石５０の凹球面５１に磁極５１ａ，５１ｂが形成されていて、バックヨーク５２が装着されると、凹球面５１での磁気吸着力が高くなる。
【００３９】
図６に示すボタン状永久磁石６０は、凹球面６１に収束配向の磁極が現れる様にしたボタン状プラマグ永久磁石である（集束配向２極）。
【００４０】
前記ボタン状永久磁石４０，５０，６０と直径が４０ｍｍのコア１０との磁気吸着力は、図４のアキシャル１極のボタン状永久磁石４０がΦ７ｍｍでは約６００ｇｒ重、Φ１０ｍｍでは約７００ｇｒ重、Φ１２では約８００ｇｒ重であり、図５のアキシャル２極のボタン状永久磁石５０がΦ１２では約９００ｇｒ重であり、図６の集束配向２極のボタン状永久磁石６０がΦ１２では約７５０ｇｒ重であった。
【００４１】
アキシャル１極の永久磁石４０は、図３に示すように、ブロック２０の１つのコーナーに造られた凹球面２２の一部に装着される。ブロック２０に設けられた凹球面２２の一部には、図３（ａ）に示すように、ボタン状永久磁石４０が装着される凹み部３０が予め形成されている。ボタン状永久磁石４０の直径に対して、凹み部３０の直径は、−０．０６ｍｍ〜＋０．０５ｍｍの範囲とする。
【００４２】
凹み部３０の内面とボタン状永久磁石４０の外面との少なくともいずれか一方には、水溶性接着剤が予め塗布されている。その状態で図３（ｂ）の様に、ブロック２０の柔らかさを活かして押し込まれたボタン状永久磁石４０が、凹み部３０の適切な位置に保持されて、その位置で水溶性接着剤が固化する。
【００４３】
ボタン状永久磁石４０は、凹球面２２に接した位置（図３（ｂ）の仮想線の位置）若しくはその位置から少し奥まった位置に固定されることが最も好ましい。図５に示したアキシャル２極のボタン状永久電池５０も、図６に示した集束配向２極のボタン状永久磁石６０も同様にブロック２０に装着されるが、それぞれの凹球面５１，６１が、理想的にはブロック２０の凹球面２２に重なる位置（図３（ｂ）の仮想線の位置）で固定される。いずれの場合も、コア１０の直径と同等の直径を有する球曲面でコア１０を押し込むことで実現する。
【００４４】
次に、３次元パズルの彫刻方法について説明する。図１は、立法体のブロック２０の１つのコーナーに凹球面２２の加工を施し、更にその凹球面２２の一部にボタン状永久磁石４０，５０，６０を装着した８個のブロック２０とコア１０とを示している。
【００４５】
図１で、１つのブロック２０が他のブロック２０と平面で面接触する部分（図１のグレー色でない面）に、粘着性の粘稠物若しくは両面粘着材付きテープ（いずれも図示せず）で一時的に固定しておいて、然る後に彫刻刀やヤスリなどで、外形を彫刻し、造形する。
【００４６】
粘着性の粘稠物としては、例えば入れ歯安定剤の様な粘着物を使用することが好ましい。入れ歯安定剤の様な粘稠物は、文字通り入れ歯の裏に見立てたブロック２０の所定の平面に、適量を塗りつけて押し付けると簡単には離れなくすることが出来る。
【００４７】
両面粘着材付きテープは、普通の粘着力で厚さが離型紙を除いて０．０８ｍｍ程度、テープ幅が５ｍｍの市販物が採用できる。一辺４０ｍｍのブロック２０であれば、一面について２５〜３０ｍｍの長さを貼れば剥がれなくて好適である。
【００４８】
粘稠物又は両面粘着剤付きテープによって、８個のブロック２０同士が面接触する面同士が一時的に仮固定されるため、８個のブロック２０がコア１０を覆った状態で、彫刻しやすくすることができる。
【００４９】
ここで使用するヤスリは、実用新案登録第３１６８１３２号の筒状研磨用具を活用することが有効である。この筒状研磨用具以外のヤスリで削る場合は、小さな粉塵が発生して、それを吸引してしまうため、健康上良くない。
【００５０】
彫刻は、ナイフや彫刻刀、平ヤスリ、丸ヤスリ、サンドペーパーなどが使用出来る。密度が０．１〜０．４の木材や発泡樹脂は、細かな凹凸のある彫刻を施しにくいものの、加工が容易なので、力が弱い人、目が不自由な人、手先の器用さが弱ってきている人たちには好都合である。例えば、ブロック２０は、図８に示すような外形の林檎に彫刻することができる。この３次元パズルは、彫刻後においてブロック２０に油性の彩色を施すことが可能である。
【００５１】
彫刻された後は、８個のブロック２０同士を分離させる。入れ歯安定剤のような粘稠物の場合は、８個のブロック２０を湯に漬けて温度を上げると柔らかくなって、剥がすことが出来る。或いは、弱い力であっても、８個のブロック２０に長時間せん断力を作用させると粘稠物を剥がすことが出来る。
【００５２】
両面粘着材付きテープは、ブロック２０同士を根気強く捩じると比較的短時間で粘着テープを剥がすことが出来る。幅５ｍｍの普通の粘着性テープを使用した場合は、使用した長さが３５ｍｍに近づくと剥がれ辛くなるので、３０ｍｍ程度に納める必要がある。
【００５３】
コア１０と８個のブロック２０とに分離できた彫刻済み３次元パズルは、粘稠物を除去し、必要なら彩色を施すことで、３次元パズルの彫刻が完了する。そして、この３次元パズルをゲームとして楽しむには、各ブロック２０の凹球面２２の部分でコア１０を囲むようにセットする。各ブロック２０は磁気吸着されたコア１０の周りで接触しながら変位可能に一体化される。
【００５４】
ただし、セットされた直後の３次元パズルは、彫刻された形状に揃っていないので、特許文献１，２の３次元パズルの要領で外形を整えるというゲームを楽しむことが出来る。彫刻を施した本人は、彫刻した外形を覚えているので、視覚、又は手触りでもってブロックの位置を変更して外形を整えることが出来る。
【００５５】
それゆえに、この３次元パズルは、視覚障害者が大いに楽しむことができる。さらに、この３次元パズルは、友達が製作した３次元パズルと交換して、未知のしかし整った外形へと競争するゲームを楽しむことが出来る。
【００５６】
この３次元パズルは、児童・生徒の工作の教材、外形を想像する力を養う教材として有効である。この３次元パズルは、本格的な彫刻が困難な高齢者や各種障碍者が、創造してかつパズルを楽しむことが出来る。この３次元パズルは、健常者も勿論楽しむことが出来る。
【００５７】
図８に示すような外形の林檎に彫刻した３次元パズルは、彫刻が比較的簡単であり、誰もが知っている外形なので、林檎の外形を整えるゲームを誰もが楽しむことが出来る。
【００５８】
しかし長期間のうちに、一部に打ち傷が出来てそれを修復したい様な場合が発生する。そのときは、該当するブロック２０を水に漬ければ数時間で水溶性接着剤が軟らかくなり、ボタン状永久磁石４０，５０，６０を取り除くことが出来る。そして、新たなブロック２０の凹球面２２の一部に設けられた凹み部３０に、前記ボタン状永久磁石４０，５０，６０を水溶性接着剤で接着し彫刻を施せば、修理が完了する。
【００５９】
或いは３次元パズル全体を廃棄する場合、コア１０以外を上記と同様に処理すれば、簡単にボタン型永久磁石４０，５０，６０を分離回収することが出来る。
【産業上の利用可能性】
【００６０】
本発明品の３次元パズルは、教育現場や教育関連分野、高齢者施設、高齢者関連分野、障害者施設、福祉関連分野、ＤＩＹ分野、及び玩具分野において好適に利用することができる。
【符号の説明】
【００６１】
１０    コア
２０    ブロック
２１    彫刻を施されたブロック
２２    凹球面
３０    凹み部
４０    ボタン状永久磁石（アキシャル１極）
５０    ボタン状永久磁石（アキシャル２極）
５１    凹球面
５１ａ  磁極
５１ｂ  磁極
６０    ボタン状永久磁石（収束配向２極）
６１    凹球面
【図１】
2018033836.tif 000003
【図２】
2018033836.tif 000004
【図３】
2018033836.tif 000005
【図４】
2018033836.tif 000006
【図５】
2018033836.tif 000007
【図６】
2018033836.tif 000008
【図７】
2018033836.tif 000009
【手続補正書】
【提出日】平成29年10月26日(2017.10.26)
【手続補正１】
【補正対象書類名】特許請求の範囲
【補正対象項目名】全文
【補正方法】変更
【補正の内容】
【特許請求の範囲】
【請求項１】
軟磁性の磁気特性を有する軟磁性材料で形成され音発生手段を備えた球状のコアと、このコアの表面に面接触する凹球面が形成され、かつ、この凹球面内の一部に凹み部が形成され、立方体、直方体又は任意の多角形となる形態若しくは全体として球形となる形態を含む変形体に成形されている彫刻可能な複数のブロックと、前記凹み部内に嵌め込まれ、澱粉糊のような水溶性接着剤で固定される円柱状の永久磁石とを備え、前記複数のブロックの凹球面が前記コアの表面を覆った状態で、前記コアと前記永久磁石とが磁気吸着されつつ、前記ブロックが前記コアに面接触しながら変位可能とされていることを特徴とする３次元パズル。
【請求項２】
前記ブロックは、比重が０．１以上０．４以下のバルサ、桐若しくは杉といった木材又は耐衝撃ポリスチレン樹脂といった発泡合成樹脂で成形されている請求項１の３次元パズル。
【請求項３】
前記コアは、直径が３５〜４５ｍｍとされている請求項１から請求項２までのいずれか一項の３次元パズル。
【請求項４】
前記永久磁石は、直径が７〜１２ｍｍの円柱状に成形され、前記凹み部は、内径が前記永久磁石に対して−０．０６〜＋０．０５ｍｍとされている請求項１から請求項３までのいずれか一項の３次元パズル。
【請求項５】
前記複数のブロック同士が隣り合って面接触する面に付着される粘稠物又は両面粘着剤付きテープを備えている請求項１から請求項４までのいずれか一項の３次元パズル。
【請求項６】
請求項１から５までのいずれかの３次元パズルにおいて、立方体、直方体又は変形体に成形されている彫刻可能な複数のブロックの各凹球面が前記コアの表面を覆い、各ブロックが隣り合って面接触する面同士を、粘着性の粘稠物又は両面粘着付きテープによって一時的に仮固定する工程と、各ブロックの外形を彫刻し造形する工程と、前記粘稠物を湯に漬けて柔らかくしてブロックを除去する、ブロックにせん断力を作用させて前記粘稠物をブロックから除去する又はブロック同士を捩じることで前記両面粘着付きテープをブロックから除去する工程を含むことを特徴とする３次元パズルの彫刻方法。
【手続補正２】
【補正対象書類名】明細書
【補正対象項目名】００１０
【補正方法】変更
【補正の内容】
【００１０】
本発明に係る３次元パズルは、軟磁性の磁気特性を有する軟磁性材料で形成され音発生手段を備えた球状のコアと、このコアの表面に面接触する凹球面が形成され、かつ、この凹球面内の一部に凹み部が形成され、立方体、直方体又は任意の多角形となる形態若しくは全体として球形となる形態を含む変形体に成形されている彫刻可能な複数のブロックと、前記凹み部内に嵌め込まれ、澱粉糊のような水溶性接着剤で固定される円柱状の永久磁石とを備え、前記複数のブロックの凹球面が前記コアの表面を覆った状態で、前記コアと前記永久磁石とが磁気吸着されつつ、前記ブロックが前記コアに面接触しながら変位可能とされていることを特徴としている。
【手続補正３】
【補正対象書類名】明細書
【補正対象項目名】００１４
【補正方法】変更
【補正の内容】
【００１４】
本発明に係る３次元パズルの他態様として、前記ブロックは、比重が０．１以上０．４
以下の木材又は低発泡合成樹脂で成形されていることが好ましい。この３次元パズルによ
れば、ブロックの比重が０．１以上０．４以下のバルサ、桐若しくは杉といった木材又は耐衝撃性ポリスチレンといった発泡合成樹脂で成形されていることにより、ブロックが軽量且つ彫刻が容易となり、児童・生徒や高齢者、或いは様々な障碍持つ人々がハンドリング可能な３次元パズルとすることができる。更に、前記比重のブロックには適切な弾力性があるので、装着する凹み部の直径より装着する永久磁石の直径が最大０．０６大きくても、押し込むことが簡単で、また、取り出すことも容易である。
【手続補正４】
【補正対象書類名】明細書
【補正対象項目名】００１６
【補正方法】変更
【補正の内容】
【００１６】
本発明に係る３次元パズルのさらに異なる他態様として、前記永久磁石は、直径が７〜１２ｍｍの円柱状（ボタン状）に成形され、前記凹み部は、ボタン状永久磁石の直径に対して−０．０６〜＋０．０５ｍｍとされていることが好ましい。凹球面の一部に装着される永久磁石の直径は凹球面の広さと、磁気吸着力の強さを考慮して直径が７ｍｍ〜１２ｍｍのボタン状永久磁石とし、永久磁石を装着する凹み部の直径が、装着する永久磁石の直径に比べて０．０６ｍｍ小さい直径から、０．０５ｍｍ大きい直径の範囲とすれば、永久磁石を凹み部に容易に装着し、且つ、水溶性接着剤の採用とあいまって、凹み部から容易に取り外すことができる。
【手続補正５】
【補正対象書類名】明細書
【補正対象項目名】００１８
【補正方法】変更
【補正の内容】
【００１８】
本発明に係る３次元パズルの彫刻方法は、立方体、直方体又は変形体に成形されている彫刻可能な複数のブロックの各凹球面が前記コアの球表面を覆い、各ブロックが隣り合って面接触する面同士を、粘着性の粘稠物又は両面粘着付きのテープによって一時的に仮固定する工程と、各ブロックの外形を彫刻し造形する工程と、前記粘稠物を湯に漬けて柔らかくしてブロックを除去する、ブロックにせん断力を作用させて前記粘稠物をブロックから除去する又はブロック同士を捩じることで前記両面粘着付きテープをブロックから除去する工程を含むことを特徴としている。
【手続補正６】
【補正対象書類名】明細書
【補正対象項目名】００４０
【補正方法】変更
【補正の内容】
【００４０】
前記ボタン状永久磁石４０，５０，６０と直径が４０ｍｍのコア１０との磁気吸着力は、図４のアキシャル１極のボタン状永久磁石４０がΦ７ｍｍでは約６００ｇｒ重、Φ１０ｍｍでは約７００ｇｒ重、Φ１２ｍｍでは約８００ｇｒ重であり、図５のアキシャル２極のボタン状永久磁石５０がΦ１２ｍｍでは約９００ｇｒ重であり、図６の集束配向２極のボタン状永久磁石６０がΦ１２ｍｍでは約７５０ｇｒ重であった。